(57)【要約】【課題】効率的な文字入力を可能にする。【解決手段】代表文字に対応する複数の代表文字ボタンを配列可能な代表文字表示領域７１を備えた文字入力画面７を表示装置に表示させ、いずれかの代表文字の代表文字ボタンが選択された場合に、関連文字表示領域７２に、選択された代表文字に関連する複数の関連文字ボタンを連続させて配設したボタン群を、先に選択された前記代表文字に関連する複数の前記関連文字ボタンの少なくとも一部とともに表示させる。【選択図】図２
2014099749.tif 000002
【特許請求の範囲】
【請求項１】
代表文字に対応する複数の代表文字ボタンを配列可能な代表文字表示領域を備えた文字入力画面を表示装置に表示させ、
いずれかの前記代表文字の前記代表文字ボタンが選択された場合に、関連文字表示領域に、選択された前記代表文字に関連する複数の前記関連文字ボタンを連続させて配設したボタン群を、先に選択された前記代表文字に関連する複数の前記関連文字ボタンの少なくとも一部とともに表示させる、
処理をコンピュータに実行させる表示制御プログラム。
【請求項２】
前記関連文字表示領域に、前記ボタン群を当該選択された前記代表文字ボタンに隣接させて表示させることを特徴とする、請求項１記載の表示制御プログラム。
【請求項３】
前記関連文字表示領域において、前記先に選択された前記代表文字に関連する複数の前記関連文字ボタンを、前記ボタン群が不在の領域に表示させることを特徴とする、請求項１又は請求項２記載の表示制御プログラム。
【請求項４】
前記代表文字表示領域において、前記関連文字表示領域を介して対向する位置に、前記複数の代表文字入力ボタンを２列に分けて配設することを特徴とする、請求項１〜３のいずれか１項に記載の表示制御プログラム。
【請求項５】
前記２列に分けて配設された代表文字入力ボタンの間において、前記関連文字ボタンを２列に配設することを特徴とする、請求項４記載の表示制御プログラム。
【請求項６】
代表文字に対応する複数の代表文字ボタンを配列可能な代表文字表示領域を備えた文字入力画面を表示装置に表示させる第１表示制御部と、
いずれかの前記代表文字の前記代表文字ボタンが選択された場合に、関連文字表示領域に、選択された前記代表文字に関連する複数の前記関連文字ボタンを連続させて配設したボタン群を、先に選択された前記代表文字に関連する複数の前記関連文字ボタンの少なくとも一部とともに表示させる第２表示制御部と
を備えることを特徴とする、情報処理装置。
【請求項７】
代表文字に対応する複数の代表文字ボタンを配列可能な代表文字表示領域を備えた文字入力画面を表示装置に表示させるステップと、
いずれかの前記代表文字の前記代表文字ボタンが選択された場合に、関連文字表示領域に、選択された前記代表文字に関連する複数の前記関連文字ボタンを連続させて配列したボタン群を、先に選択された前記代表文字に関連する複数の前記関連文字ボタンの少なくとも一部とともに表示させるステップと、
を備えることを特徴とする、表示制御方法。
【発明の詳細な説明】
【技術分野】
【０００１】
本発明は、文字入力を行なうための表示制御プログラム、情報処理装置及び表示制御方法に関するものである。
【背景技術】
【０００２】
近年のスマートフォン（多機能携帯電話）やPersonal Digital Assistants（ＰＤＡ）などのタッチパネルを備えた携帯端末機器の普及により、ハードウェアキーボードを用いた文字入力ではなく、ソフトウェアキーボードを用いた文字入力を行なう機会が増えている。また、Personal Computer（ＰＣ）においても、ソフトウェアキーボードを用いた文字入力を行なうことが可能である。
【０００３】
特に、身体機能に制約のあるオペレータにとっては、ハードウェアキーボードよりも、ソフトウェアキーボードをマウスや視線検出ポインタ等と組み合わせて用いる方が、入力がし易く、利便性が高い場合がある。
そこで、例えば、初期状態で日本語の仮名文字の５０音の各行の第一音の文字のみのキーを表示し、いずれかのキーが押されると、画面移行してその行の文字すべてを表示し、入力したい文字を選択できるという技術が知られている。
【先行技術文献】
【特許文献】
【０００４】
【特許文献１】特開２００６−１４８５３６号公報
【特許文献２】特開２０１０−１９１５３７号公報
【特許文献３】特開２００６−３３４２５号公報
【発明の概要】
【発明が解決しようとする課題】
【０００５】
しかしながら、このような従来の技術においては、第１のボタンを押してから第２のボタンを押すまでに必要なポインタの移動量が大きくなる。又、先に行なったキー入力を有効に利用することができず、煩雑な入力操作を繰り返して行なう必要がある。従って、身体機能に制約のあるオペレータにとって、入力操作に負担を強いられるという課題がある。
【０００６】
１つの側面では、本発明は、効率的な文字入力を可能にすることを目的とする。
なお、前記目的に限らず、後述する発明を実施するための形態に示す各構成により導かれる作用効果であって、従来の技術によっては得られない作用効果を奏することも本発明の他の目的の１つとして位置付けることができる。
【課題を解決するための手段】
【０００７】
このため、この表示制御プログラムは、代表文字に対応する複数の代表文字ボタンを配列可能な代表文字表示領域を備えた文字入力画面を表示装置に表示させ、いずれかの前記代表文字の前記代表文字ボタンが選択された場合に、関連文字表示領域に、選択された前記代表文字に関連する複数の前記関連文字ボタンを連続させて配設したボタン群を、先に選択された前記代表文字に関連する複数の前記関連文字ボタンの少なくとも一部とともに表示させる、処理をコンピュータに実行させる。
【発明の効果】
【０００８】
開示の表示制御プログラムによれば、文字入力を効率的に行なうことができる。
【図面の簡単な説明】
【０００９】
【図１】実施形態の一例としての情報処理装置の構成を示す図である。
【図２】実施形態の一例としての情報処理装置における文字入力画面の初期状態を例示する図である。
【図３】（ａ）〜（ｄ）は、実施形態の一例としての情報処理装置における代表文字ボタンが選択された場合の文字入力画面を例示する図である。
【図４】実施形態の一例としての情報処理装置における数字入力用の代表文字ボタンが選択された場合の文字入力画面を例示する図である。
【図５】（ａ）〜（ｄ）は、実施形態の一例としての情報処理装置における関連文字表示領域が備えるボタン配列について説明する図である。
【図６】（ａ）〜（ｄ）は、実施形態の一例としての情報処理装置における文字入力例を示す図である。
【図７】（ａ）〜（ｃ）は、実施形態の一例としての情報処理装置における濁音文字の入力方法を示す図である。
【図８】（ａ）〜（ｄ）は、実施形態の一例としての情報処理装置における小文字入力の方法及び連続入力の方法を示す図である。
【図９】実施形態の一例としての情報処理装置における文字入力操作時の処理を説明する図である。
【図１０】文字入力の効率性を説明する図である。
【図１１】（ａ）〜（ｆ）は、実施形態の変形例としての情報処理装置における文字入力画面を例示する図である。
【図１２】（ａ），（ｂ）は、実施形態の変形例としての情報処理装置における文字入力画面を例示する図である。
【図１３】実施形態の変形例としての情報処理装置における文字入力画面を例示する図である。
【発明を実施するための形態】
【００１０】
〔Ａ〕一実施形態
以下、図面を参照して本表示制御プログラム、文字入力装置及び表示制御方法に係る実施の形態を説明する。ただし、以下に示す実施形態はあくまでも例示に過ぎず、実施形態で明示しない種々の変形例や技術の適用を排除する意図はない。すなわち、本実施形態を、その趣旨を逸脱しない範囲で種々変形（実施形態及び各変形例を組み合わせる等）して実施することができる。
【００１１】
また、各図は、図中に示す構成要素のみを備えるという趣旨ではなく、他の機能等を含むことができる。
〔Ａ−１〕装置構成
図１は、実施形態の一例としての情報処理装置の構成を示す図である。
図２は、実施形態の一例としての情報処理装置における文字入力画面の初期状態を例示する図である。
【００１２】
本情報処理装置１は、コンピュータやＰＤＡ，携帯電話等であり、後述する文字入力画面７を介して、オペレータが文字入力を行なうことができる。
本情報処理装置１は、図１に示すように、Central Processing Unit（ＣＰＵ）１０、メモリ２０、Hard Disk Drive（ＨＤＤ）３０、入力装置４０、表示装置５０及び媒体読取装置６０を備える。
【００１３】
これらのＣＰＵ１０、メモリ２０、ＨＤＤ３０、入力装置４０、表示装置５０及び媒体読取装置６０は、バス線ＢＳを介して通信可能に接続されている。
メモリ２０は、Read Only Memory（ＲＯＭ）及びRandom Access Memory（ＲＡＭ）を含む記録装置である。メモリ２０のＲＯＭには、Operating system（ＯＳ）、文字入力制御に係るソフトウェアプログラム（表示制御プログラム）やこのプログラム用のデータ類が書き込まれている。メモリ２０上のソフトウェアプログラムは、ＣＰＵ１０に適宜書き込まれて実行される。また、メモリ２０のＲＡＭは、一次記録メモリあるいはワーキングメモリとして利用される。
【００１４】
ＨＤＤ３０は、ＣＰＵ１０が種々の制御や演算を行なうための種々のデータやプログラムを格納し、また、ＣＰＵ１０によって行なわれた演算の結果を格納する記録装置である。
本実施形態においては、ＨＤＤ３０は、日本語の仮名文字の情報を保持する。より具体的には、ＨＤＤ３０は、代表文字を関連文字と関連付けて保持している。代表文字は、あ段の文字であり、「あ」、「か」、「さ」、「た」、「な」、「は」、「ま」、「や」、「ら」及び「わ」である。また、関連文字は、各代表文字に関連するい段、う段、え段及びお段の文字である。つまり、ＨＤＤ３０は、代表文字「あ」とその関連文字「い」、「う」、「え」及び「お」とを関連付けて保持している。代表文字「か」、「さ」、「た」、「な」、「は」、「ま」及び「ら」についても同様である。なお、代表文字「や」については、「ゆ」及び「よ」を関連文字として保持しており、代表文字「わ」については、「を」及び「ん」を関連文字として保持する。
【００１５】
また、ＨＤＤ３０は、すべての仮名文字について、濁音記号「゛」及び半濁音記号「°」を付加できるか否か、拗音または促音（以下、あわせて小文字という）が存在するか否かについての情報を保持する。以下、濁音記号、半濁音記号及び小文字をまとめて修飾記号という場合がある。なお、本情報処理装置１においては、関連文字には、修飾記号も含まれる。
【００１６】
更に、ＨＤＤ３０は、数字の情報を保持している。すなわち、ＨＤＤ３０は、「１」、「２」、「３」「４」、「５」、「６」、「７」、「８」、「９」及び「０」を保持する。本実施形態においては、「１」を代表文字とし、その他の数字を関連文字として関連付けて保持する。
また、ＨＤＤ３０は、句点「、」、読点「。」及び長音記号「ー」を保持していても良い。この場合、例えば、保持する関連文字が２文字のみである代表文字「や」または「わ」に関連付けて保持することができる。以下、本実施形態においては、便宜上、句点、読点及び長音記号の表示を省略している。
【００１７】
入力装置４０は、例えば、マウス、トラックボール、キーボードであり、この入力装置４０を介して、オペレータが各種の入力操作を行なう。オペレータは、マウス等のポインティングデバイスを操作することによって、文字入力画面７に表示されるポインタＰＴを移動させ、後述する「選択」及び「決定」の操作・入力を行なう。
表示装置５０は、液晶ディスプレイやCathode Ray Tube（ＣＲＴ）等であり、オペレータ等に対する各種情報を表示する。
【００１８】
入力装置４０及び表示装置５０は組み合わされたものでも良く、例えば、タッチパネルでも良い。
媒体読取装置６０は、記録媒体ＲＭが装着可能に構成される。媒体読取装置６０は、記録媒体ＲＭが装着された状態において、記録媒体ＲＭに記録されている情報を読み取り可能に構成される。本例では、記録媒体ＲＭは、可搬性を有する。例えば、記録媒体ＲＭは、フレキシブルディスク、光ディスク、磁気ディスク、光磁気ディスク、又は、半導体メモリ等である。
【００１９】
ＣＰＵ１０は、種々の制御や演算を行なう処理装置であり、メモリ２０に格納されたOperating System（ＯＳ）やプログラムを実行することにより、種々の機能を実現する。すなわち、ＣＰＵ１０は、図１に示すように、選択検出部１１、決定検出部１２、第１表示制御部１３、第２表示制御部１４及び第３表示制御部１５として機能する。
そして、情報処理装置１のＣＰＵが、表示制御プログラムを実行することにより、選択検出部１１、決定検出部１２、第１表示制御部１３、第２表示制御部１４及び第３表示制御部１５として機能する。
【００２０】
なお、これらの選択検出部１１、決定検出部１２、第１表示制御部１３、第２表示制御部１４及び第３表示制御部１５としての機能を実現するためのプログラム（表示制御プログラム）は、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ，ＨＤ  ＤＶＤ等），ブルーレイディスク，磁気ディスク，光ディスク，光磁気ディスク等の、コンピュータ読取可能な記録媒体に記録された形態で提供される。そして、コンピュータはその記録媒体からプログラムを読み取って内部記録装置または外部記録装置に転送し格納して用いる。又、そのプログラムを、例えば磁気ディスク，光ディスク，光磁気ディスク等の記録装置（記録媒体）に記録しておき、その記録装置から通信経路を介してコンピュータに提供するようにしてもよい。
【００２１】
選択検出部１１、決定検出部１２、第１表示制御部１３、第２表示制御部１４及び第３表示制御部１５としての機能を実現する際には、内部記録装置（本実施形態ではメモリ２０）に格納されたプログラムがコンピュータのマイクロプロセッサ（本実施形態ではＣＰＵ１０）によって実行される。このとき、記録媒体に記録されたプログラムをコンピュータが読み取って実行するようにしてもよい。
【００２２】
なお、本実施形態において、コンピュータとは、ハードウェアとＯＳとを含む概念であり、ＯＳの制御の下で動作するハードウェアを意味している。又、ＯＳが不要でアプリケーションプログラム単独でハードウェアを動作させるような場合には、そのハードウェア自体がコンピュータに相当する。ハードウェアは、少なくとも、ＣＰＵ等のマイクロプロセッサと、記録媒体に記録されたコンピュータプログラムを読み取るための手段とをそなえており、本実施形態においては、情報処理装置１がコンピュータとしての機能を有しているのである。
【００２３】
選択検出部１１は、入力装置４０によって、いずれかのボタンが選択されたことを検出する。ここで、本実施形態において、入力装置４０にマウスやトラックボールのようなポインティングデバイスを使用する場合に、「選択」とは、これらの入力装置４０の操作に対応して文字入力画面７（図２参照）を移動するポインタＰＴがボタン上に重なった位置にある状態である。また、本実施形態において、入力装置４０にタッチパネルを使用する場合に、「選択」とは、タッチパネルに接触しているオペレータの指がボタン上に重なった位置にある状態である。例えば、ポインタＰＴまたはオペレータの指が、「あ」ボタンに重なった場合に、選択検出部１１は、「あ」ボタンが選択されたことを検出する。なお、選択検出部１１は、文字入力画面７上のポインタＰＴのディスプレイ上の位置（座標）と各ボタンのオブジェクトのディスプレイ上の位置（座標）を比較して選択されたことを検出する。
【００２４】
ポインタＰＴは、矢印等の特有の形状を有するものであっても良い（図２参照）。また、特有の形状を備えずに、表示画面（文字入力画面７）上の対応する位置にあるボタン等のオブジェクトの色や形状を変えることにより、選択されている状態を示しても良い。
決定検出部１２は、入力装置４０によって、いずれかのボタンが決定されたことを検出する。ここで、本実施形態において、入力装置４０にマウス、トラックボールまたはキーボード等を使用する場合に、「決定」とは、選択されたボタンをオペレータがクリックもしくはダブルクリックすることである。また、本実施形態において、入力装置４０にタッチパネルを使用する場合に、「決定」とは、選択されたボタンをオペレータがタップもしくはダブルタップすることである。例えば、「あ」ボタン上にポインタＰＴがあるときにオペレータがクリックすれば、決定検出部１２は、「あ」ボタンが決定されたことを検出する。また、オペレータが「あ」ボタンをタップ等すれば、決定検出部１２は、「あ」ボタンが決定されたことを検出する。
【００２５】
第１表示制御部１３は、代表文字に対応する複数の代表文字ボタンを配列する代表文字表示領域７１と、代表文字に関連する関連文字に対応する関連文字ボタンを表示する関連文字表示領域７２とを備えた文字入力画面７をディスプレイ５０等に表示させる制御を行なう。なお、代表文字表示領域７１及び関連文字表示領域７２の詳細については、後述する。
【００２６】
第２表示制御部１４は、代表文字表示領域７１中のいずれかのボタンが選択されたことを選択検出部１１が検出した場合に、文字入力画面７において選択された代表文字に関連する関連文字ボタンの一群を関連文字表示領域７２に表示させる制御を行なう。また、第２表示制御部１４は、関連文字ボタンの一群を関連文字表示領域７２に表示させる制御を行なうとともに、オペレータが選択した代表文字ボタンに関連する関連文字ボタンの一群の情報をメモリ２０に保存する。ここで、情報とは、例えば、オペレータが選択した代表文字ボタンに関連する関連文字の情報と、これらの関連文字を表示させた関連文字表示領域７２における配置フレームの位置の情報とを関連付けたものである。第２表示制御部１４は、以前にメモリ２０に保存した関連文字の一群の情報を参照することにより、関連文字表示領域７２に表示されている関連文字を判断する。
【００２７】
第３表示制御部１５は、代表文字表示領域７１又は関連文字表示領域７２中のいずれかのボタンが決定されたことを決定検出部１２が検出した場合に、文字入力画面７において決定されたボタンに対応する文字を入力領域７６に表示させる制御を行なう。また、第３表示制御部１５は、文字を入力領域７６に表示させる制御を行なうとともに、決定された文字の情報をメモリ２０に保存する。
【００２８】
すなわち、第１表示制御部１３、第２表示制御部１４及び第３表示制御部１５により、表示装置５０に文字入力画面７を表示させる制御を行なうのである。
〔Ａ−２〕文字入力画面
文字入力画面７は、第１表示制御部１３によって、表示装置５０としてのディスプレイ等の全体または一部に表示される画面であり、オペレータが、日本語文字や英数文字等の文字入力操作に用いる。文字入力画面７は、図２に示すように、代表文字表示領域７１、関連文字表示領域７２、全文字消去ボタン７３、一文字消去ボタン７４、日英切り替えボタン７５、入力領域７６及びポインタＰＴを備える。
【００２９】
代表文字表示領域７１は、図２に示すように、更に領域７１ａ，７１ｂ，７１ｃの３つの領域に分けられる。すなわち、第１表示制御部１３は、文字入力画面７の右側の領域７１ａに代表文字「あ」、「か」、「さ」、「た」及び「な」の５個のボタン（代表文字ボタン）を縦１列に表示させる。また、第１表示制御部１３は、文字入力画面７の左側の領域７１ｂに代表文字「は」、「ま」、「や」、「ら」及び「わ」の５個のボタン（代表文字ボタン）を縦１列に表示させる。更に、第１表示制御部１３は、文字入力画面７の下側の領域７１ｃに代表文字「１」のボタン（代表文字ボタン）を表示させる。
【００３０】
図２に示すように、第１表示制御部１３は、関連文字表示領域７２を囲うように代表文字表示領域７１ａ、７１ｂ及び７１ｃを文字入力画面７にそれぞれ表示させる。言い換えれば、第１表示制御部１３は、関連文字表示領域７２を挟んで対向する位置に代表文字表示領域７１ａ及び７１ｂを文字入力画面７にそれぞれ表示させる。
なお、各代表文字ボタンの表示位置は、図２に示された表示位置に限定されるものではい。例えば、代表文字表示領域７１ａと代表文字表示領域７１ｂとを入れ替えて表示しても良い。また、代表文字表示領域７１ａまたは７１ｂそれぞれの中で文字ボタンの配置を入れ替えて表示しても良い。更に、代表文字表示領域７１ａの下から「あ」、「か」、「さ」、「た」及び「な」（代表文字表示領域７１ｂの下から「は」、「ま」、「や」、「ら」及び「わ」）を表示しても良く、又、少なくとも一部の文字を入れ替えても良い。また、代表文字表示領域７１ｃを関連文字表示領域７２の上側に表示してもよい。なお、代表文字「１」は、本実施形態において必須の構成ではなく、省略されても良い。
【００３１】
関連文字表示領域７２は、代表文字表示領域７１の中から選択された代表文字に関連する関連文字のボタンを表示する領域であり、５行２列（縦５×横２）に配置された１０個の配置フレームを備える。これらの各配置フレーム上に関連文字ボタンが配置される。
初期状態では、図２に示すように、関連文字表示領域７２の各配置フレームには、いずれの関連文字ボタンも表示されていない。
【００３２】
入力領域７６は、本情報処理装置１によって決定された文字を入力文字として表示する領域である。図２において、各ボタンの下側に入力領域７６を備えているが、これに限定されるものではなく、上側でも右側でも左側でも良い。
図２に示す初期状態において、オペレータが、代表文字表示領域７１中のいずれかの代表文字ボタンを決定すると、決定検出部１２は、決定された代表文字ボタンを検出するとともにその代表文字をメモリ２０に保持させる。そして、第３表示制御部１５は、決定検出部１２により検出された代表文字を入力領域７６に表示させる。
【００３３】
全文字消去ボタン７３は、入力領域７６に表示された文字をすべて消去するボタンである。なお、全文字消去ボタン７３は、本実施形態において必須の構成ではなく、省略されても良い。
一文字消去ボタン７４は、入力領域７６に表示された文字を１文字消去するボタンである。
【００３４】
日英切り替えボタン７５は、平仮名入力、片仮名入力とアルファベット入力を切り替えるボタンである。なお、日英切り替えボタン７５は、本実施形態において必須の構成ではなく、省略されても良い。
また、本文字入力画面７の内部または外部に変換ボタン（図示省略）を備えて、入力領域７６に表示されている文字を漢字や記号等に変換できるようにしても良い。
【００３５】
図３（ａ）〜（ｄ）及び図４は、実施形態の一例としての情報処理装置における代表文字ボタンが選択された場合の文字入力画面を例示する図である。
以下、図中において、ポインタＰＴの図示は省略する。
図３（ａ）は、「あ」ボタンが選択された場合の文字入力画面を示す図である。
以下、図中において、斜線が引かれたボタンは、選択されたボタンを示す。
【００３６】
代表文字「あ」ボタンが選択されたことを選択検出部１１が検出すると、第２表示制御部１４は、関連文字表示領域７２中の「あ」ボタンの付近の配置フレームに関連文字「い」、「う」、「え」及び「お」の各関連文字ボタンを連続して配設することにより一群として表示させる。また、「あ」、「い」、「う」、「え」及び「お」には、それぞれ小文字が存在するので、第２表示制御部１４は、関連文字表示領域７２内に小文字ボタン（図３（ａ）中の「小」）も表示させる。
【００３７】
より具体的には、第２表示制御部１４は、「あ」ボタンの左隣に「い」ボタンを表示させ、「い」ボタンの左隣に「う」ボタンを表示させ、「う」ボタンの下隣に「え」ボタンを表示させ、「え」ボタンの右隣に「お」ボタンを表示させる。すなわち、第２表示制御部１４は、代表文字「あ」ボタンを始点として関連文字表示領域７２に関連文字「い」、「う」、「え」及び「お」の各ボタンを連続して一筆書きになるように表示させる。また、第２表示制御部１４は、小文字ボタンを表示させた関連文字の下隣りに表示させる。なお、図３（ａ）においては、小文字ボタンは、「お」ボタンの下隣りに表示されているが、「え」ボタンの下隣りに表示されても良い。
【００３８】
図３（ｂ）は、「な」ボタンが選択された場合の文字入力画面を示す図である。
代表文字「な」ボタンが選択されたことを選択検出部１１が検出すると、第２表示制御部１４は、関連文字表示領域７２中の「な」ボタンの付近の配置フレームに関連文字「に」、「ぬ」、「ね」及び「の」の各関連文字ボタンを連続して配設することにより一群として表示させる。
【００３９】
より具体的には、第２表示制御部は「な」ボタンの左隣に「に」ボタンを表示させ、「に」ボタンの左隣に「ぬ」ボタンを表示させ、「ぬ」ボタンの上隣に「ね」ボタンを表示させ、「ね」ボタンの右隣に「の」ボタンを表示させる。すなわち、第２表示制御部１４は、代表文字「な」ボタンを始点として関連文字表示領域７２に関連文字「に」、「ぬ」、「ね」及び「の」の各ボタンを連続して一筆書きになるように表示させる。ただし、代表文字表示領域７１において代表文字「な」ボタンは一番下に位置しているので、第２表示制御部は、連続する関連文字ボタン「に」、「ぬ」、「ね」及び「の」を、上方に折り返すように配置する。  
図３（ｃ）は、「は」ボタンが選択された場合の文字入力画面を示す図である。
【００４０】
代表文字「は」ボタンが選択されたことを選択検出部１１が検出すると、第２表示制御部１４は、関連文字表示領域７２中の「は」ボタンの付近の配置フレームに関連文字「ひ」、「ふ」、「へ」及び「ほ」の各関連文字ボタンを連続して配設することにより一群として表示させる。また、「は」、「ひ」、「ふ」、「へ」及び「ほ」には、それぞれ濁音及び半濁音が存在するので、第２表示制御部１４は、関連文字表示領域７２内に濁音ボタン及び半濁音ボタン（図３（ｃ）中の「゛」及び「°」）も表示させる。
【００４１】
より具体的には、第２表示制御部１４は、「は」ボタンの右隣に「ひ」ボタンを表示させ、「ひ」ボタンの右隣に「ふ」ボタンを表示させ、「ふ」ボタンの下隣に「へ」ボタンを表示させ、「へ」ボタンの左隣に「ほ」ボタンを表示させる。すなわち、第２表示制御部１４は、代表文字「は」ボタンを始点として関連文字表示領域７２に関連文字「ひ」、「ふ」、「へ」及び「ほ」の各ボタンを連続して一筆書きになるように表示させる。また、第２表示制御部１４は、濁音ボタン及び半濁音ボタンを表示した関連文字の下隣りに表示させる。なお、図３（ｃ）においては、濁音ボタンは、「ほ」ボタンの下隣りに表示され、半濁音ボタンは、「へ」ボタンの下隣りに表示されているが、濁音ボタンと半濁音ボタンとが入れ替わっても良い。
図３（ｄ）は、「わ」ボタンが選択された場合の文字入力画面を示す図である。
【００４２】
代表文字「わ」ボタンが選択されたことを選択検出部１１が検出すると、第２表示制御部１４は、関連文字表示領域７２中の「わ」ボタンの付近の配置フレームに関連文字「を」及び「ん」の各関連文字ボタンを連続して配設することにより一群として表示させる。
より具体的には、第２表示制御部１４は、「わ」ボタンの右隣に「を」ボタンを表示させ、「を」ボタンの右隣に「ん」ボタンを表示させる。すなわち、第２表示制御部１４は、代表文字「わ」ボタンを始点として関連文字表示領域７２に関連文字「を」及び「ん」の各ボタンを連続して一筆書きになるように表示させる。
【００４３】
代表文字「か」、「さ」、「た」、「ま」、「や」または「ら」のいずれかのボタンが選択された場合の文字入力画面を示す図は省略したが、上述した「あ」、「な」、「は」または「わ」のいずれかの場合と同様である。また、代表文字「か」、「さ」、「た」または「や」のいずれかのボタンが選択された場合には、修飾記号ボタンが表示されるが、その表示位置は、可能な限り、関連文字の上隣りでも下隣りでも良い。
図４は、「１」ボタンが選択された場合の文字入力画面の一例を示す図である。
【００４４】
代表文字「１」ボタンが選択されたことを選択検出部１１が検出すると、第２表示制御部１４は、関連文字表示領域７２中の配置フレームに関連文字「２」、「３」、「４」、「５」、「６」、「７」、「８」、「９」及び「０」の各関連文字ボタンを連続して配設することにより一群として表示させる。
なお、図４に示す例においては、代表文字を「１」とし、関連文字を「２」、「３」、「４」、「５」、「６」、「７」、「８」、「９」及び「０」としたが、これに限定されるものではない。例えば、第１表示制御部１３は、代表文字表示領域７１ｃに数字入力を示す何らかの記号のボタンを表示させ、関連文字表示領域７２に関連文字ボタンとして「１」、「２」、「３」、「４」、「５」、「６」、「７」、「８」、「９」及び「０」のボタンを表示させても良い。この場合、ＨＤＤ３０は、数字入力を示す記号に関連文字「１」、「２」、「３」、「４」、「５」、「６」、「７」、「８」、「９」及び「０」を関連付けて保持する。
【００４５】
図３（ａ）〜（ｄ）及び図４にそれぞれ示す状態において、オペレータが、代表文字表示領域７１または関連文字表示領域７２中のいずれかのボタンを決定する入力操作を行なうと、決定検出部１２は、決定された文字ボタンを検出するとともにその文字をメモリ２０に保持させる。そして、第３表示制御部１５は、決定検出部１２により検出された文字を入力領域７６に表示させる。図示を省略した代表文字「か」、「さ」、「た」、「ま」、「や」もしくは「ら」のいずれかまたはこれらの代表文字に関連する関連文字が決定された場合も同様である。
【００４６】
図３（ａ）及び図５（ａ）〜（ｄ）を参照しながら、本実施形態の一例における関連文字表示領域７２が、５行２列（縦５×横２）の配列で１０個の配置フレームを備える理由について説明する。
図５（ａ）〜（ｄ）は、関連文字表示領域７２の他の例を示す。これらの図５（ａ）〜（ｄ）においては、代表文字ボタンとして、「あ」ボタンが選択された場合の文字入力画面をそれぞれ示す図である。なお、図５（ａ）〜（ｄ）においては、代表文字表示領域（「１」ボタンを除く。）及び関連文字表示領域のみを図示し、文字入力画面上のその他の構成の図示は省略した。
【００４７】
本情報処理装置１においては、図３（ａ）に示すように、関連文字表示領域７２が５行２列（縦５×横２）の配列で１０個の配置フレームを備える場合、代表文字「あ」を選択してから関連文字「お」を決定するには、行方向（図中横方向）に１移動し、又、列方向（図中縦方向）に１移動する必要がある。よって、移動距離Lは、
【００４８】
【数１】
2014099749.tif 000003
【００４９】
となる。また、図３（ａ）に示す例において、代表文字「あ」から代表文字「わ」に移動するには、図中横方向に３移動し、又、図中縦方向に４移動する必要がある。よって、移動距離Lは、
【００５０】
【数２】
2014099749.tif 000004
【００５１】
となる。
一方、図５（ａ）に示すように、関連文字表示領域７２−１が５行１列（縦５×横１）の配列で５個の配置フレームを備える場合、代表文字「あ」を選択してから関連文字「お」を決定するには、行方向（図中横方向）に１移動し、又、列方向（図中縦方向）に３移動する必要がある。よって、移動距離Lは、
【００５２】
【数３】
2014099749.tif 000005
【００５３】
となり、本実施形態における移動距離L=1.41より長くなる。
また、図５（ｂ）に示すように、関連文字表示領域７２−２が１０行１列（縦１０×横１）の配列で１０個の配置フレームを備える場合、代表文字表示領域も関連文字表示領域と同様の配置となり、代表文字「あ」を選択してから関連文字「お」を決定するには、図中横方向に１移動し、又、図中縦方向に３移動する必要がある。よって、移動距離Lは、上記数３と同様、L=3.16となり、本実施形態における移動距離L=1.41より長くなる。また、図５（ｂ）において、代表文字「あ」から代表文字「わ」に移動するには、図中縦方向に９移動する必要がある。よって、移動距離Lは、
【００５４】
【数４】
2014099749.tif 000006
【００５５】
となり、本実施形態における移動距離L=5より長くなる。
更に、図５（ｃ）及び図５（ｄ）に示すように、関連文字表示領域７−３，７−４が５行３列（縦５×横３）の配列で１５個の配置フレームを備える場合、代表文字「あ」から代表文字「わ」に移動するには、図中横方向に４移動し、又、図中縦方向に４移動する必要がある。よって、移動距離Lは、
【００５６】
【数５】
2014099749.tif 000007
【００５７】
となり、本実施形態における移動距離L=5より長くなる。また、図５（ｄ）に示すように、関連文字を関連文字表示領域７２−４の図中横方向に拡張すると、代表文字「あ」を選択してから関連文字「お」を決定するには、図中横方向に３移動し、又、図中縦方向に１移動する必要がある。よって、移動距離Lは、
【００５８】
【数６】
2014099749.tif 000008
【００５９】
となり、本実施形態における移動距離L=1.41より長くなる。
これらの図５（ａ）〜（ｄ）の各例に比べて、関連文字表示領域７２を５行２列（縦５×横２）の配列で１０個の配置フレームを備えて構成することにより、ポインタＰＴの移動量を小さくすることができるのである。
〔Ａ−３〕文字入力例
図６（ａ）〜（ｄ）、図７（ａ）〜（ｃ）及び図８（ａ）〜（ｄ）を参照しながら、本実施形態における具体的な文字入力時の処理の一例を説明する。
【００６０】
図６（ａ）〜（ｄ）は、実施形態の一例としての情報処理装置における文字入力例を示す図である。
以下、図中において、網掛けされたボタンは、決定されたボタンを示す。
例えば、「こいぬ」という文字列の入力を行なう例について説明する。
始めに、図６（ａ）に示すように、代表文字「あ」が選択されており、関連文字表示領域７２に代表文字「あ」の関連文字の関連文字ボタンが表示されていたとする。
【００６１】
まず、オペレータは、「こ」を入力する。図６（ｂ）に示すように、オペレータが、代表文字「か」を選択すると、第２表示制御部１４は、関連文字表示領域７２に代表文字「か」の関連文字を表示させる。ここで、図６（ｂ）に示すように、関連文字表示領域７２には、最後に選択された代表文字「か」の関連文字だけでなく、先に選択されていた代表文字「あ」の関連文字「い」及び「う」の関連文字ボタンが表示されている。前述したように、関連文字表示領域７２に表示された関連文字は、表示された時点でメモリ２０に保持されている。従って、第２表示制御部１４は、最後に選択された代表文字の関連文字が表示されない配置フレームに、以前に選択された代表文字の関連文字の一部または全部（図６（ｂ）においては一部）のボタンを表示させ続けるのである。そして、オペレータが、関連文字表示領域７２に表示された関連文字の中から「こ」を選択し、決定すると、第３表示制御部１５は、入力領域７６に「こ」を表示させる。
【００６２】
次に、オペレータは、「い」を入力する。図６（ｃ）に示すように、前述の如く、関連文字表示領域７２には、「い」のボタンが表示されている。オペレータは、代表文字「あ」を改めて選択することなく、関連文字表示領域７２に表示され続けている関連文字「い」を選択し、決定することができる。そして、第３表示制御部１５は、入力領域７６に「い」を表示させる。
【００６３】
最後に、オペレータは、「ぬ」を入力する。図６（ｄ）に示すように、オペレータが、代表文字「な」を選択すると、第２表示制御部１４は、関連文字表示領域７２に代表文字「な」の関連文字を表示させる。なお、図６（ｄ）に示すように、関連文字表示領域７２には、図６（ｂ）の場合と同様に、以前に選択された代表文字の関連文字が表示され続けている。オペレータは、関連文字表示領域７２に表示された関連文字の中から「ぬ」を選択し、決定すると、第３表示制御部１５は、入力領域７６に「ぬ」を表示させる。
【００６４】
以上で、「こいぬ」という文字列の入力が完了する。
図７（ａ）〜（ｃ）は、実施形態の一例としての情報処理装置における濁音文字の入力方法を示す図である。
まず、図７（ａ）に示すように、オペレータが、代表文字「は」を選択すると、第２表示制御部１４は、関連文字表示領域７２に代表文字「は」の関連文字のボタンを表示させる。オペレータが、表示された関連文字のボタンから「へ」を選択し、決定すると、第３表示制御部１５は、入力領域７６に「へ」を表示させる。
【００６５】
次に、図７（ｂ）に示すように、オペレータが、表示されている関連文字のボタンから「゛」を選択し、決定すると、第３表示制御部１５は、入力領域７６に「べ」を表示させる。
更に、図７（ｃ）に示すように、オペレータが、表示されている関連文字のボタンから「゛」を再び選択し、決定すると、第３表示制御部１５は、入力領域７６に表示されている「゛」のみを削除し、「へ」を表示させる。
【００６６】
すなわち、同じ修飾記号（図７（ｃ）においては「゛」）を偶数回続けて決定することにより、直前の操作で付加された修飾記号のみを削除することができるのである。これにより、オペレータが誤って修飾記号ボタンを決定した場合でも、修飾された文字ごと削除することなく、付加した修飾記号のみを削除することができるので、オペレータの負担を軽減できる。
【００６７】
なお、図７（ｂ）に示すように、入力領域７６に「べ」が表示されている状態において、オペレータが、「°」を選択し、決定することにより、第３表示制御部１５は、入力領域７６に「ぺ」を表示させるようにしても良い。
また、半濁音文字を入力する方法も図７（ａ）〜（ｃ）に示した方法と同様である。
図８（ａ）〜（ｃ）は、実施形態の一例としての情報処理装置における小文字入力の方法を示す図である。また、図８（ｄ）は、実施形態の一例としての情報処理装置における連続入力の方法を示す図である。
【００６８】
まず、図８（ａ）に示すように、オペレータが、代表文字「あ」を選択すると、第２表示制御部１４は、関連文字表示領域７２に代表文字「あ」の関連文字のボタンを表示させる。オペレータが、表示された関連文字のボタンから「え」を選択し、決定すると、第３表示制御部１５は、入力領域７６に「え」を表示させる。
次に、図８（ｂ）に示すように、オペレータが、表示されている関連文字のボタンから「小」を選択し、決定すると、第３表示制御部１５は、入力領域７６に「ぇ」を表示させる。
【００６９】
更に、図８（ｃ）に示すように、オペレータが、表示されている関連文字のボタンから「小」を再び選択し、決定すると、第３表示制御部１５は、入力領域７６に表示されている「ぇ」を「え」に戻す。
すなわち、同じ修飾記号（図８（ｃ）においては「小」）を偶数回続けて決定することにより、直前の操作で小文字にされた文字を元の文字に戻すことができるのである。これにより、オペレータが誤って修飾記号ボタンを決定した場合でも、修飾された文字ごと削除することなく、小文字にされた文字を元の文字に戻すことができるので、オペレータの負担を軽減できる。
【００７０】
また、図８（ｄ）に示すように、オペレータが、関連文字表示領域７２に表示されている「え」を連続して（図８（ｄ）においては２回）決定することによって、第３表示制御部１５は、入力領域７６に「え」を連続して表示させる。従来は、関連文字を１文字入力する度に代表文字を選択する必要があったが、本実施形態においては、入力したい関連文字を決定するだけで連続入力が行なうことができ、オペレータの負担を軽減できる。
【００７１】
〔Ａ−４〕表示制御処理
上述の如く構成された実施形態の一例としての情報処理装置における表示制御処理を、図９に示すフローチャート（ステップＡ１０〜Ａ１００）に従って説明する。
まず、第１表示制御部１３は、表示装置５０に文字入力画面７を表示する。
選択検出部１１は、代表文字ボタンが選択されたかを検出する（ステップＡ１０）。
【００７２】
代表文字ボタンが選択された場合には（ステップＡ１０のＹＥＳルート参照）、第２表示制御部１４は、メモリ２０を参照して、選択された代表文字ボタンに関連する関連文字ボタンの一群が既に関連文字表示領域７２中に表示されているかを判断する（ステップＡ２０）。
選択された代表文字ボタンに関連する関連文字ボタンの一群が既に関連文字表示領域７２中に表示されている場合には（ステップＡ２０のＹＥＳルート参照）、決定検出部１２は、代表文字表示領域７１または関連文字表示領域７２に表示されているいずれかのボタンが決定されたかを検出する（ステップＡ３０）。
【００７３】
代表文字表示領域７１または関連文字表示領域７２に表示されているいずれかのボタンが決定された場合には（ステップＡ３０のＹＥＳルート参照）、決定検出部１２は、決定されたボタンが文字ボタンであるかを判断する（ステップＡ４０）。
決定されたボタンが文字ボタンである場合には（ステップＡ４０のＹＥＳルート参照）、第３表示制御部１５は、入力領域７６に決定されたボタンに対応する文字を表示させ（ステップＡ５０）、ステップＡ１０に戻る。また、第３表示制御部１５は、入力領域７６に表示させた文字の情報をメモリ２０に保持させる。
【００７４】
また、決定されたボタンが文字ボタンでない場合には（ステップＡ４０のＮＯルート参照）、決定検出部１２は、メモリ２０を参照して、決定されたボタンが既に入力されている文字に対して修飾可能な修飾記号ボタンであるかを判断する（ステップＡ６０）。
決定されたボタンが既に入力されている文字に対して修飾可能な修飾記号ボタンである場合には（ステップＡ６０のＹＥＳルート参照）、第３表示制御部１５は、決定されたボタンに対応する修飾記号で既に入力されている文字を修飾し（ステップＡ７０）、ステップＡ１０に戻る。なお、ステップＡ７０において、第３表示制御部１５は、入力領域７６に表示させた修飾記号の情報をメモリ２０に保持させる。
【００７５】
一方、決定されたボタンが既に入力されている文字に対して修飾可能な修飾記号ボタンでない場合には（ステップＡ６０のＮＯルート参照）、決定検出部１２は、決定されたボタンが既に入力されている文字に対して無効な修飾記号ボタンであると判断して、ステップＡ１０に戻る。
また、代表文字表示領域７１または関連文字表示領域７２に表示されているいずれのボタンも決定されない場合には（ステップＡ３０のＮＯルート参照）、決定検出部１２は、いずれのボタンも決定されなかったと判断して、ステップＡ１０に戻る。
【００７６】
また、選択された代表文字ボタンに関連する関連文字ボタンの一群が既に関連文字表示領域７２中に表示されていない場合には（ステップＡ２０のＮＯルート参照）、第２表示制御部１４は、選択された代表文字ボタンに関連する関連文字ボタンの一群を関連文字表示領域７２に表示させ（ステップＡ８０）、ステップＡ３０に遷移する。なお、ステップＡ８０において、第２表示制御部１４は、関連文字表示領域７２に表示させた関連文字ボタンの一群の情報をメモリ２０に保持させる。
【００７７】
また、代表文字ボタンが選択されない場合には（ステップＡ１０のＮＯルート参照）、選択検出部１１は、関連文字ボタンが選択されたかを判断する（ステップＡ９０）。
関連文字ボタンが選択された場合には（ステップＡ９０のＹＥＳルート参照）、ステップＡ３０に遷移する。
一方、関連文字ボタンが選択されない場合には（ステップＡ９０のＮＯルート参照）、選択検出部１１は、修飾記号ボタンが選択されたかを判断する（ステップＡ１００）。
【００７８】
修飾記号ボタンが選択された場合には（ステップＡ１００のＹＥＳルート参照）、ステップＡ３０に遷移する。
一方、修飾記号ボタンが選択されない場合には（ステップＡ１００のＮＯルート参照）、選択検出部１１は、いずれのボタンも選択されなかったと判断して、ステップＡ１０に戻る。
【００７９】
〔Ａ−５〕効果
このように、実施形態の一例としての情報処理装置１によれば、オペレータの指や目線の移動量を少なくできるため、文字入力操作の係るオペレータの負担を軽減できる。
また、実施形態の一例としての情報処理装置１によれば、オペレータの操作回数（ボタンを押す回数）を少なくできるため、文字入力操作の係るオペレータの負担を軽減できる。
【００８０】
更に、実施形態の一例としての情報処理装置１によれば、文字入力操作に係るボタンの数を少なくでき、狭い画面上でも個々のボタンの大きさを確保できるため、誤った入力を防げる。
また、実施形態の一例としての情報処理装置１によれば、文字入力操作に係るボタンの数を少なくでき、文字入力画面７を省スペースにできるため、狭い画面上でも文字入力操作を行なうことができる。
【００８１】
図１０は、上記特許文献３における従来の文字入力方法を例示する図である。
例えば、小文字「ぅ」の入力を行ないたいとして、本実施形態の一例と先行技術とにおいて、必要なオペレータの手の動き（移動距離）を比較する。
この図１０の先行技術において小文字「ぅ」を入力する場合は、オペレータは、代表文字「ア」を押し、関連文字「ゥ」を押す。「ア」から「ゥ」へは行方向（図中横方向）にボタン７つ分移動し、列方向（図中縦方向）にボタン１つ分移動する必要がある。よって、移動距離Lは、
【００８２】
【数７】
2014099749.tif 000009
【００８３】
となる。
これに対して、図３（ａ）に示した本実施形態の一例において小文字「ぅ」を入力する場合は、代表文字「あ」を選択し、関連文字「う」を決定し、更に、修飾記号「小」を選択する。「あ」から「う」へは行方向（図中横方向）にボタン２つ分移動し、「う」から「小」へは行方向（図中横方向）にボタン１つ分移動し、列方向（図中縦方向）にボタン２つ分移動する必要がある。よって、移動距離Lは、
【００８４】
【数８】
2014099749.tif 000010
【００８５】
となる。
このように、本願の情報処理装置１によれば、従来手法に比べて短い移動距離で入力が可能となる。
〔Ｂ〕変形例
開示の技術は上述した実施形態に限定されるものではなく、本実施形態の趣旨を逸脱しない範囲で種々変形して実施することができる。本実施形態の各構成及び各処理は、必要に応じて取捨選択することができ、あるいは適宜組み合わせてもよい。
【００８６】
〔Ｂ−１〕関連文字表示領域の関連文字の配置変更による入力の効率化
図１１（ａ）〜（ｆ）は、実施形態の変形例としての情報処理装置における文字入力画面を例示する図である。
本実施形態の変形例においては、第２表示制御部１４は、以前に選択された代表文字に関連する関連文字が上書きされないように関連文字表示領域７２の表示を制御する。その他は、上述した一実施形態と同様であり、説明を省略する。
【００８７】
具体的には、第２表示制御部１４は、関連文字表示領域７２において、先に表示された関連文字ボタンを、関連文字ボタンが不在の配置フレームに移動（退避）させる制御を行なう。
例えば、「いくえいかい」という文字列の入力を行う例について示す。
まず、オペレータは、「い」を入力する。図１１（ａ）に示すように、オペレータが、代表文字「あ」を選択すると、第２表示制御部１４は、関連文字表示領域７２に代表文字「あ」の関連文字のボタンを表示させる。オペレータが、表示された関連文字のボタンから「い」を選択し、決定すると、第３表示制御部１５は、入力領域７６に「い」を表示させる。
【００８８】
次に、オペレータは、「く」を入力する。図１１（ｂ）に示すように、オペレータが、代表文字「か」を選択すると、第２表示制御部１４は、関連文字表示領域７２に代表文字「か」の関連文字のボタンを表示させる。例えば、図６（ｂ）に示した例においては、オペレータが、代表文字「あ」を選択後に代表文字「か」を選択すると、第２表示制御部１４は、関連文字表示領域７２において、代表文字「あ」の関連文字のボタンの一部を代表文字「か」の関連文字のボタンによって上書きされていた。一方、本変形例によれば、図１１（ｂ）に示すように、第２表示制御部１４は、代表文字「あ」の関連文字「え」及び「お」のボタンを関連文字表示領域７２の最下段のボタンに移動（退避）して表示させ続けている。そして、オペレータが、表示された関連文字のボタンから「く」を選択し、決定すると、第３表示制御部１５は、入力領域７６に「く」を表示させる。
【００８９】
続けて、オペレータは、「え」、「い」、「か」及び「い」を順に入力する。図１１（ｃ）〜（ｆ）に示すように、本実施形態の変形例においては、オペレータは、代表文字ボタンを再び選択することなく、関連文字表示領域７２に表示され続けている関連文字を選択し、決定することにより、入力を行なうことができる。
本実施形態の変形例のように、第２表示制御部１４が、先に選択された代表文字に関連する関連文字のボタンを上書がされないように関連文字表示領域７２の表示を制御することによって、オペレータの負担を軽減することができる。
【００９０】
〔Ｂ−２〕入力文字の変更
上述した実施形態においては、平仮名及び数字を入力する例について示したが、これに限定されるものではない。
図１２（ａ），（ｂ）は、実施形態の変形例としての情報処理装置における文字入力画面を例示する図である。
【００９１】
本実施形態の変形例においては、上述した平仮名の場合と同様に、ＨＤＤ３０に片仮名及びアルファベットを保持して入力を行なうことができる。
図１２（ａ）は、入力文字を片仮名に変更した場合の文字入力画面の一例を示す図である。図１２（ａ）は、代表文字「ア」を選択した状態であり、関連文字表示領域７２に、代表文字「ア」に関連する関連文字「イ」、「ウ」、「エ」、「オ」及び修飾記号「小」が表示されている。他の代表文字がそれぞれ関連付けて保持する関連文字は、前述した平仮名の場合と同様とすることができる。
【００９２】
図１２（ｂ）は、入力文字をアルファベットに変更した場合の文字入力画面の一例を示す図である。図１２（ｂ）においては、代表文字表示領域７１中のそれぞれのボタンに、代表文字が大きく表示されており、その代表文字に関連する関連文字が小さく表示されている。図１２（ｂ）は、代表文字「Ａ」を選択した場合の状態であり、関連文字表示領域７２に、代表文字「Ａ」に関連する関連文字「Ｂ」、「Ｃ」及び修飾記号「小」が表示されている。他の代表文字が選択された場合も同様に、それぞれの代表文字が保持する関連文字を関連文字表示領域７２に表示することができる。
【００９３】
〔Ｂ−３〕入力画面の横画面化
上述した実施形態においては、関連文字表示領域７２の左右方向に代表文字表示領域７１ａ，７１ｂをそれぞれ備える例について示したが、これに限定されるものではない。
図１３は、実施形態の変形例としての情報処理装置における文字入力画面を例示する図である。なお、図中、「´（ダッシュ）」記号を有する各符号は、既述の各符号と同様の部分を示しているので、その説明は省略する。
【００９４】
本実施形態の変形例においては、入力画面７を図中横方向に長く配置している。
代表文字表示領域７１′は、図２に示すように、更に領域７１′ａ，７１′ｂ，７１′ｃの３つの領域に分けられる。すなわち、第１表示制御部１３は、文字入力画面７′の上側の領域７１′ａに代表文字「あ」、「か」、「さ」、「た」及び「な」の５個のボタン（代表文字ボタン）を横１行に表示させる。また、第１表示制御部１３は、文字入力画面７′の下側の領域７１′ｂに代表文字「は」、「ま」、「や」、「ら」及び「わ」の５個のボタン（代表文字ボタン）を横１行に表示させる。更に、第１表示制御部１３は、文字入力画面７′の右側の領域７１′ｃに代表文字「１」のボタン（代表文字ボタン）を表示させる。
【００９５】
図１３に示すように、第１表示制御部１３は、関連文字表示領域７２′を囲うように代表文字表示領域７１′ａ、７１′ｂ及び７１′ｃを文字入力画面７′にそれぞれ表示させる。言い換えれば、第１表示制御部１３は、関連文字表示領域７２′を挟んで対向する位置に代表文字表示領域７１′ａ及び７１′ｂを文字入力画面７′にそれぞれ表示させる。
なお、図１３において、各ボタンの図中右方向に入力領域７６′を備えているが、これに限定されるものではなく、図中左方向でも図中上方向でも図中下方向でも良い。
【００９６】
〔Ｃ〕付記
（付記１）
代表文字に対応する複数の代表文字ボタンを配列可能な代表文字表示領域を備えた文字入力画面を表示装置に表示させ、
いずれかの前記代表文字の前記代表文字ボタンが選択された場合に、関連文字表示領域に、選択された前記代表文字に関連する複数の前記関連文字ボタンを連続させて配設したボタン群を、先に選択された前記代表文字に関連する複数の前記関連文字ボタンの少なくとも一部とともに表示させる、
処理をコンピュータに実行させる表示制御プログラム。
【００９７】
（付記２）
前記関連文字表示領域に、前記ボタン群を当該選択された代表文字ボタンに隣接させて表示させることを特徴とする、付記１記載の表示制御プログラム。
（付記３）
前記関連文字表示領域において、前記先に選択された前記代表文字に関連する複数の前記関連文字ボタンを、前記ボタン群が不在の領域に表示させることを特徴とする、付記１又は付記２記載の表示制御プログラム。
【００９８】
（付記４）
前記代表文字表示領域において、前記関連文字表示領域を介して対向する位置に、前記複数の代表文字入力ボタンを２列に分けて配設することを特徴とする、付記１〜３のいずれか１項に記載の表示制御プログラム。
（付記５）
前記２列に分けて配設された代表文字入力ボタンの間において、前記関連文字ボタンを２列に配設することを特徴とする、付記４記載の表示制御プログラム。
【００９９】
（付記６）
代表文字に対応する複数の代表文字ボタンを配列可能な代表文字表示領域を備えた文字入力画面を表示装置に表示させる第１表示制御部と、
いずれかの前記代表文字の前記代表文字ボタンが選択された場合に、関連文字表示領域に、選択された前記代表文字に関連する複数の前記関連文字ボタンを連続させて配設したボタン群を、先に選択された前記代表文字に関連する複数の前記関連文字ボタンの少なくとも一部とともに表示させる第２表示制御部と
を備えることを特徴とする、情報処理装置。
【０１００】
（付記７）
前記第２表示制御部が、前記ボタン群を当該選択された代表文字ボタンに隣接させて表示させることを特徴とする、付記６記載の情報処理装置。
（付記８）
前記第２表示制御部が、前記関連文字表示領域において、先に選択された前記代表文字に関連する複数の前記関連文字ボタンを、前記ボタン群が不在の領域に表示させることを特徴とする、付記６又は付記７記載の情報処理装置。
【０１０１】
（付記９）
前記代表文字表示領域において、前記関連文字表示領域を介して対向する位置に、前記複数の代表文字入力ボタンを２列に分けて配設することを特徴とする、付記６〜８のいずれか１項に記載の情報処理装置。
（付記１０）
前記関連文字表示領域が、前記２列に分けて配設された代表文字入力ボタンの間において、前記関連文字ボタンを２列に配設することを特徴とする、付記９記載の情報処理装置。
【０１０２】
（付記１１）
代表文字に対応する複数の代表文字ボタンを配列可能な代表文字表示領域を備えた文字入力画面を表示装置に表示させるステップと、
いずれかの前記代表文字の前記代表文字ボタンが選択された場合に、関連文字表示領域に、選択された前記代表文字に関連する複数の前記関連文字ボタンを連続させて配設したボタン群を、先に選択された前記代表文字に関連する複数の前記関連文字ボタンの少なくとも一部とともに表示させるステップと、
を備えることを特徴とする、表示制御方法。
【０１０３】
（付記１２）
前記関連文字表示領域に、前記ボタン群を当該選択された代表文字ボタンに隣接させて表示させることを特徴とする、付記１１記載の表示制御方法。
（付記１３）
前記関連文字表示領域において、先に選択された前記代表文字に関連する複数の前記関連文字ボタンを、前記ボタン群が不在の領域に表示させることを特徴とする、付記１１又は付記１２記載の表示制御方法。
【０１０４】
（付記１４）
前記代表文字表示領域において、前記関連文字表示領域を介して対向する位置に、前記複数の代表文字入力ボタンを２列に分けて配設することを特徴とする、付記１１〜１３のいずれか１項に記載の表示制御方法。
（付記１５）
前記２列に分けて配設された代表文字入力ボタンの間において、前記関連文字ボタンを２列に配設することを特徴とする、付記１４記載の表示制御方法。
【０１０５】
（付記１６）
代表文字に対応する複数の代表文字ボタンを配列可能な代表文字表示領域を備えた文字入力画面を表示装置に表示させ、
いずれかの前記代表文字の前記代表文字ボタンが選択された場合に、関連文字表示領域に、選択された前記代表文字に関連する複数の前記関連文字ボタンを連続させて配設したボタン群を、先に選択された前記代表文字に関連する複数の前記関連文字ボタンの少なくとも一部とともに表示させる、
処理をコンピュータに実行させる表示制御プログラムを記録したコンピュータ読取可能な記録媒体。
【０１０６】
（付記１７）
前記関連文字表示領域に、前記ボタン群を当該選択された代表文字ボタンに隣接させて表示させることを特徴とする、付記１６記載の表示制御プログラムを記録したコンピュータ読取可能な記録媒体。
（付記１８）
前記関連文字表示領域において、前記先に選択された前記代表文字に関連する複数の前記関連文字ボタンを、前記ボタン群が不在の領域に表示させることを特徴とする、付記１６又は付記１７記載の表示制御プログラムを記録したコンピュータ読取可能な記録媒体。
【０１０７】
（付記１９）
前記代表文字表示領域において、前記関連文字表示領域を介して対向する位置に、前記複数の代表文字入力ボタンを２列に分けて配設することを特徴とする、付記１６〜１８のいずれか１項に記載の表示制御プログラムを記録したコンピュータ読取可能な記録媒体。
（付記２０）
前記２列に分けて配設された代表文字入力ボタンの間において、前記関連文字ボタンを２列に配設することを特徴とする、付記１９記載の表示制御プログラムを記録したコンピュータ読取可能な記録媒体。
【符号の説明】
【０１０８】
１                                情報処理装置
１０                              Central Processing Unit（ＣＰＵ）
１１                              選択検出部
１２                              決定検出部
１３                              第１表示制御部
１４                              第２表示制御部
１５                              第３表示制御部
２０                              メモリ
３０                              Hard Disk Drive（ＨＤＤ）
４０                              入力装置
５０                              表示装置
６０                              媒体読取装置
７，７−１〜７−４，７´          文字入力画面
７１（７１ａ〜７１ｃ），７１−１〜７１−４，７１´（７１´ａ〜７１´ｃ）  代表文字表示領域
７２，７２−１〜７２−４，７２´  関連文字表示領域
７３，７３´                      全文字消去ボタン
７４，７４´                      一文字消去ボタン
７５，７５´                      日英切り替えボタン
７６，７６´                      入力領域
ＢＳ                              バス線
ＰＴ                              ポインタ
ＲＭ                              記録媒体
【図１】
2014099749.tif 000011
【図２】
2014099749.tif 000012
【図３】
2014099749.tif 000013
【図４】
2014099749.tif 000014
【図５】
2014099749.tif 000015
【図６】
2014099749.tif 000016
【図７】
2014099749.tif 000017
【図８】
2014099749.tif 000018
【図９】
2014099749.tif 000019
【図１０】
2014099749.tif 000020
【図１１】
2014099749.tif 000021
【図１２】
2014099749.tif 000022
【図１３】
2014099749.tif 000023